(57)【要約】      （修正有）【課題】コンピュータおよび家電製品又は家具製品並びに生鮮品保管に関する構成を提供する。【解決手段】従来のパソコン機器内各種ソフト機能は一切変更せずに箱型ボックスを逆さまにした実験を試みたのである。よってハードディスク、基盤並びに接続配線は、必然的に地表から引力に対抗する力と空気から揚力を受けた均衡状態なる。この状態でＣＰＵ演算速度やその他のアプリケーションソフトの向上が見られるのかパソコンを起動しキーボードを操作して、この状態にする前と後での機能向上テストすなわち各種アプリケーションの変換速度を比較した結果は速度向上が確認できたことで機能構成が吊り状態にすることの有意性を確認したのである。【選択図】図１
2013214266.tif 000002
【特許請求の範囲】
【請求項１】
コンピュータおよび家電製品（事務機器）又は生鮮品保管機器においてマザーボード（電子回路基盤）を含む動作機能構成を吊り状態の組立にすることを特徴とする機能構成が吊り状態の構造。
【請求項２】
吊り状態を有する本発明の利用は、電気的機能を有するマザーボード（電子回路基盤）、電気配線等の動作機能構成を吊り状態の組立構造とすることを特徴とする請求項１に記載の機能構成が吊り状態の構造。
【請求項３】
吊り状態を有する本発明の利用は、パソコン、ノートパソコン、ＣＤ−Ｒ、ＤＶＤ、ハードディスク、オーディオ等のマザーボード（電子回路基盤）、電気配線等の動作機能構成を吊り状態の組立構造とすることを特徴とする請求項１又は２に記載の機能構成が吊り状態の構造。
【請求項４】
吊り状態を有する本発明の利用は、スーパーコンピュータの演算回路、マザーボード（電子回路基盤）、電気配線等の動作機能構成を吊り状態の組立構造とすることを特徴とする請求項１、２又は３に記載の機能構成が吊り状態の構造。
【請求項５】
吊り状態を有する本発明の利用は、ビルの自家発電、火力発電、水力発電、風車発電、ソーラーパネル発電、ゴミ焼却処理施設、飛行機、新幹線、自動車、電車、バス等これらに使用するマザーボード（電子回路基盤）、電気配線等の動作機能構成を吊り状態の組立構造とすることを特徴とする請求項１、２、３又は４に記載の機能構成が吊り状態の構造。
【請求項６】
吊り状態を有する本発明の利用は、病院および家庭用介護ベッドに使用するマザーボード（電子回路基盤）、電気配線等の動作機能構成を吊り状態の組立構造を吊り状態にすることを特徴とする請求項１に記載の機能構成が吊り状態の構造。
【請求項７】
吊り状態を有する本発明の利用は、保存用の冷蔵庫および空調機器に使用するマザーボード（電子回路基盤）、電気配線等の動作機能構成を吊り状態の組立構造とすることを特徴とする請求項１又は２に記載の機能構成が吊り状態の構造。
【請求項８】
吊り状態を有する本発明の利用は、娯楽施設である遊園地、博物館、ホテル、商業施設とするテーマパークで使用するマザーボード（電子回路基盤）、電気配線等の動作機能構成を吊り状態の組立構造とすることを特徴とする請求項１に記載の機能構成が吊り状態の構造。
【請求項９】
吊り状態を有する本発明の利用は、医療機器および医療現場の機器に使用するマザーボード（電子回路基盤）、電気配線等の動作機能構成を吊り状態の組立構造とすることを特徴とする請求項１に記載の機能構成が吊り状態の構造。
【請求項１０】
吊り状態を有する本発明の利用は、野菜、果実、魚介類の生鮮食糧の保管棚の吊り状態使用および保管庫システムの動作機能構成とするマザーボード（電子回路基盤）、電気配線等を吊り状態の組立構造に用いたことを特徴とする請求項１又は２に記載の機能構成が吊り状態の構造。
【請求項１１】
吊り状態を有する本発明の利用は、従来通りの全ての部材組立工程の後、吊り状態の逆さまに組み立て製品化することを特徴とする請求項１、２、３、４、５、６、７、８、９又は１０に記載の機能構成が吊り状態の構造。
【発明の詳細な説明】
【技術】
【０００１】本発明は、コンピュータおよび家電製品又は家具製品並びに生鮮品保管において動力ならびに機能構成が吊り状態の構造にかんする。
【０００２】本発明におけるコンピュータおよび家電製品又は家具製品並びに生鮮品保管において動力ならびに機能構成においては、従来のこれらの製品ならびに食糧は、地表に置かれた状態で地表からの引力に対抗する力を受けた均衡状態にあることで、生鮮食糧等は、地表に接触している部分が大きいほど腐敗は加速するのである。反対に空中で宙吊りされた状態にあって空気から揚力を受けている状態が均衡状態にあると生鮮食糧の腐敗進行は遅延するのである。
【０００３】このことを踏まえ、従来のパソコン機器内各種ソフト機能は一切変更せずに箱型ボックスを逆さまにした実験を試みたのである。よってハードディスク、基盤並びに接続配線は、必然的に地表から引力に対抗する力と空気から揚力を受けた均衡状態なる。この状態でＣＰＵ演算速度やその他のアプリケーションソフトの向上が見られるのかパソコンを起動しキーボードを操作して、この状態にする前と後での機能向上テストすなわち各種アプリケーションの変換速度を比較した結果は微妙な速度向上が確認できたことで本発明の機能構成が吊り状態にすることを着眼したものである。
【背景技術】
【０００４】しかし、従来のコンピュータおよび家電製品又は家具製品並びに生鮮品保管において動力ならびに機能構成が吊り状態にした発想はなく、まれに縦列にコンピュータのマザーボード（電子回路基盤）や拡張スロットならびにハードディスク等が積載されていることもあるが、地表から引力に対抗する力と空気から揚力を受けた均衡状態なる状態での組立構造ではないのである。【０００５】このことは、コンピュータにかぎらず家電製品や生鮮食糧の保管等においても、コンピュータ機器や家電製品および生鮮食糧が格納ボックスに収められ、地表に置いた状態での組立構造並びに生鮮食糧においては若しくは棚に積み上げた状態で保管しているのが現状であり本発明の意識は盛りこめられていないことから、本発明とは技術的意義を全く異にする。【０００６】従来のコンピュータにおいては電源切り忘れ又はパソコンを自動制御するカレンダ情報を一元管理出来る自動制御装置防止装置の提供する（［特許文献１］）特許第３３０７７５７号であり、家電製品の冷蔵庫などにおいても冷蔵庫の冷却器における除霜水の排水や食品貯蔵室と冷却器装置を備えた構造を提供する（［特許文献２］）特許第４８９３３１８号であり、機能を劣化ならびにハードウエアーの機能向上、生鮮食品の酸化促進を遅延させるための保存意識は盛りこめられていないことから、本発明とは技術的意義を全く異にする。
【特許文献１】特許第３３０７７５７号
【特許文献２】特許第４８９３３１８号
【０００７】環境汚染の問題が深刻な状態をかかえている状況の中において、電気利用の機器や電化製品および生鮮品食糧保管は自然摂理のシステムに学ぶことが重要と考えるのである。【０００８】限りある資源を再利用することが叫ばれ、それに伴い再加工しての資源利用行われているが、製品化された電気機器や食糧の酸化促進を遅延させることで再加工サイクルが減少でき、自然摂理を応用した知恵と工夫の実践により、電化製品機能や食糧の効用機能の向上を図ることができるのである。
【発明の概要】
【発明が解決しようする課題】
【０００９】コンピュータにかぎらず家電製品や生鮮食糧の保管等においても、コンピュータ機器や家電製品および事務機器又は生鮮食糧が格納ボックスに収められ、地表に置いた状態で組立又は保管されているのが実状である。
【００１０】これではコンピュータおよび家電製品の電気的機能を有するマザーボード（電子回路基盤）、電気配線、動力モータの機能が、酸化すなわ劣化が促進されるのである。地表に置かれた状態で地表からの引力に対抗する力を受けた均衡状態にあることで、電気的機能を有するマザーボード（電子回路基盤）、電気配線、動作機能の動力モータの機能は短期間又は短時間で劣化し、生鮮食糧においては鮮度は短時間で酸化促進となり、地表に接触している部分が大きいほど腐敗は加速するのである。
【００１１】本発明は、コンピュータおよび家電製品（事務機器含む）又は家具製品並びに生鮮品保管においてマザーボード（電子回路基盤）、電気配線、動力モータの機能が吊るし構造を有するようにする。
【課題を解決するための手段】
【００１２】果実のサクランボやモモ、リンゴ、バナナなど抗酸化力の高い食品や新鮮度が高い食糧ほど地表に置かれた状態で保管すると地表に接触する面が大きいほど酸化し、腐敗は加速することを立証するために次の実験をしたのである。
【００１３】酸化影響を受けやすい果実のサクランボとモモをそれぞれ同条件下の室内の常温状態で、目視での腐敗状態を６段階で示した。オフイスの１階の木板に置いた状態、床から２０センチの高さの壁面棚板に置いた状態、床から１００センチの高さの壁面棚板に置いた状態、床から２００センチの高さの壁面棚板に置いた状態とした。天井から吊るした状態は、床から２００センチの高さで吊るされ木箱の中に果実を置いた状態、床から１００センチの高さで吊るされ木箱の中に果実を置いた状態、床から２０センチの高さで吊るされ木箱の中に果実を置いた状態でそれぞれの腐敗状況を視覚で検証した結果を表１に示す。
【表１】
2013214266.tif 000003
【００１４】表１に示すように、食糧の果実の実験においても地表に置かれた状態で地表からの引力に対抗する力を受けた均衡状態にあることは果実の実験例を見ても腐敗し酸化促進に大きな差が出るのである。
【００１５】そして、壁面棚板に置いた状態と天井から吊るした状態では、空気にさらされ酸化影響を受けやすい果実であるサクランボおよびモモにおいて、吊るし状態で、より床面に近いほど酸化促進を遅延することが確認され、常温保管でも明らかな差が見られた。
【００１６】自然界においては、野生の小鳥は木に熟した果実は美味しそうについばんでいるが、落下した果実は食べないことは、餌付けされた鳥は例外として果実栽培の専門家は周知しているのである。
【００１７】前述のことから、空中で宙吊りにされた状態にあって空気から揚力を受けている状態すなわち地表からの引力に抵抗しようとする力が働いている均衡状態にすることで物体は活性力を発揮することに着眼したのである。
【００１８】乗り物でみると、車やリニアモータカーは地表に、より近い距離で空中で宙吊りされた浮揚状態にあって、しかも地表表面により近い距離ほど空気から揚力を受けている状態すなわち地表からの引力に抵抗しようとする力が強く働いている均衡状態にあるほど移動速度の活性力は高くなり、逆になるほど移動速度の活性力は低くなるのである。
【００１９】このことからもわかるように、物体は地表に置かれた状態で地表からの引力に対抗する力を受けた均衡状態より、空中で宙吊りされた状態にあって空気から揚力を受けている状態すなわち地表からの引力に抵抗しようとする力が働いている均衡状態にすることで物体の活性力、生鮮品の生命力の活性を高めると考察し、高層ビル内での本発明製品の活用は、そのビルの各階は地表となるので、家電製品や事務機器や生鮮品保管についても同じ効果が期待できるのである。
【００２０】そこで、本発明はコンピュータおよび家電製品又は家具製品並びに生鮮品保管において機能構成を吊り状態にした組立構造の手段をとる。
【実施例】
【００２１】以下、本発明の機能構成を吊り状態にした組立構造について図で説明する。図１は、パソコン機器の吊り状態にした構成図である。１はパソコン本体であり、２は電源、３は本発明のマザーボード（電子回路基盤）を逆さまに吊り状態に設置し、４の拡張カードも必然的に逆さの吊り状態となる。５はハードディスクドライブ、６はＣＤ−ＲＯＭドライブで、７はパソコン本体の上部であり、８はパソコン本体底部となる。９はパソコン全面カバー、１０はマザーボードをスライド収納するようにし、１１はマザーボード（電子回路基盤）のネジ止め、１２は配線コードおよびケーブルも吊り状態に組立てる。１３はドライブボックスを支える支柱で、１４はマザーボード板を支えるベルトで空中で宙吊り状態にすることで空気から揚力を受けている状態すなわち地表からの引力に抵抗しようとする力が働いている均衡状態にした。１５は滑り止めを考慮した底面足ゴムである。【００２２】図２において説明する。図２は、冷蔵庫を吊り状態にした構成図である。１６は冷蔵庫本体であり、１７は冷蔵庫本体上部で、１８は、収納Ｕの字の吊り形状とした中に、２１の冷蔵室、２２の製氷室、２３の冷凍室、２４は野菜室で各目的別の収納室を収めることで冷蔵庫内においても空中で宙吊り状態にすることで空気から揚力を受けている状態は、すなわち地表からの引力に抵抗しようとする力が働いている均衡状態にした。１９は冷却機、２０は圧縮機とし、３は冷蔵庫のマザーボード（電子回路基盤）を逆さまに吊り状態に設置し、２５は冷蔵庫底面であり、１５は滑り止めを考慮した底面足ゴムである。【００２３】つぎに図３において説明する。図３は、本発明におけるマザーボード（電子回路基盤）を設置した構成図である。３はマザーボード（電子回路基盤）を天地逆さまにして吊り状態に組立した状態であり、マザーボード（電子回路基盤）製作工程においては従来通りとするが各製品の組立においては製品の上部であれ下部であれ、組立時には逆さまに吊り状態に設置することを説明したものである。１４はマザーボード（電子回路基盤）のネジ止めで、２６は製品組立の天地で上部を示し、２７は製品組立の天地で下部を示すものである。
【発明の効果】
【００２４】従来のパソコン機器内各種ソフト機能は一切変更せずに箱型ボックスを逆さまにした実験を試みたのである。よってハードディスク、基盤並びに接続配線は、必然的に地表から引力に対抗する力と空気から揚力を受けた均衡状態なる。この状態でＣＰＵ演算速度やその他のアプリケーションソフトの向上が見られるのかパソコンを起動しキーボードを操作して、この状態にする前と後での機能向上テストすなわち各種アプリケーションの変換速度を比較した結果は微妙な速度向上が確認できたことは、近年のパソコン機能確認において、起動速度が目視で微妙な速度向上を体感できることは、明らかに本発明の機能構成が吊り状態にすることで各種製品の機能向上が期待できることを示唆するものであり、様々な場面で本発明は有用なものとなるのである。
動作機能の動力モータ
【００２５】吊り状態を有する本発明の利用は、従来の全ての組立工程の後、吊り状態の逆さまに組み立てたマザーボード（電子回路基盤）、その他の動作機能の組立部品製造においては従来通りで良く、最終組立工程作業後に天地逆さまの吊り状態の組立構造とすることでスーパーコンピュータ利用においても演算速度をさらに高めることが期待きる。
【図面の簡単な説明】
【００２６】
【図１】本発明のパソコン機器の吊り状態にした構成図である。
【図２】本発明の冷蔵庫を吊り状態にした構成図である。
【図３】本発明のマザーボード（電子回路基盤）を設置した構成図である。
【符号の説明】
【００２７】１  パソコン本体
２  電源
３  マザーボード（電子回路基盤）
４  拡張カード
５  ハードディスクドライブ
６  ＣＤ−ＲＯＭドライブ
７  パソコン本体の上部
８  パソコン本体底部
９  パソコン前面カバー
１０  マザーボードをスライド収納
１１  マザーボード（電子回路基盤）のネジ止め
１２  配線コードおよびケーブル
１３  ドライブボックスを支える支柱
１４  マザーボード板を支えるベルト
１５  底面足ゴム
１６  冷蔵庫本体
１７  冷蔵庫本体上部
１８  収納Ｕの字の吊り形状
１９  冷却機
２０  圧縮機
２１  冷蔵室
２２  製氷室
２３  冷凍室
２４  野菜室
２５  冷蔵庫底面
２６  製品組立の天地で上部
２７  製品組立の天地で下部
【図１】
2013214266.tif 000004
【図２】
2013214266.tif 000005
【図３】
2013214266.tif 000006